(57)【要約】【課題】            魚の当たりを、その釣糸を支持する釣竿先端部分に貼り付けられた歪センサで高感度検出可能にする。【解決手段】        釣竿９の先端部付近の外周面に取り付けられる歪センサ１〜４と、歪センサ１〜４の出力に基づいて、その釣竿９の変形対応の信号を求めて出力する変形信号出力手段５と、を有し、この変形信号出力手段５は前記変形対応の信号が設定レベルを超えたと判定したとき、または設定周期以下であると判定したとき、表示手段を点灯または点滅させる。【選択図】          図１
2010246394.tif 000002
【特許請求の範囲】
【請求項１】
釣竿の先端付近に取付け、魚の当たりによる釣糸の動きを釣竿を介して検出し、魚の当たりを報知する報知装置であって、
釣竿の先端部付近の外周面に取り付けられる歪センサと、
この歪センサの出力に基づいて、その釣竿の変形対応の信号を求めて出力する変形信号出力手段と、
この変形信号出力手段が前記歪センサの出力信号が設定レベルを超えたと判定したとき、または設定周期以下であると判定したとき、点灯または点滅される表示手段と、
を備えることを特徴とする釣竿用当たり報知装置。
【請求項２】
前記歪センサは前記釣竿の外周面の４箇所に設けられ、前記変形信号出力手段は前記４箇所の歪センサが出力する出力信号の誤差分に応じた信号を、前記釣竿の変形対応の信号として出力することを特徴とする請求項１に記載の釣竿用当たり報知装置。
【請求項３】
釣竿の取付手段を備え、該取付手段で釣竿の先端付近に取付け、魚の当たりによる釣糸の動きを釣竿を介して検出し、魚の当たりを報知する報知手段であって、
魚の当たりで釣糸の上下動による釣竿先端部の動きで転動する転動体と、該転動体の接触で開閉するスイッチと、該スイッチのＯＮに基づいて検知信号を出力する制御部と、該制御部からの検知信号により点灯または点滅する表示手段と、を備えることを特徴とする釣竿用当たり報知装置。
【発明の詳細な説明】
【技術分野】
【０００１】
本発明は、魚釣り時に魚が針先の餌にあたったことを光の点灯や点滅によって周辺に報知するのに使用する釣竿用当たり報知装置に関するものである。
【背景技術】
【０００２】
従来から、魚釣り中に魚の当たりを報知するのに、魚が針先の餌に触れたときに釣糸を通じて伝わる振動によって釣竿の先端に付けた鈴を鳴らす方法や、鈴の代わりにライト（豆ランプ）を付けて豆ランプを点灯させる方法などが広く採られている。
【０００３】
しかしながら、鈴を鳴らすケースでは周囲の騒音が大きいと鈴の音が聞きづらく、従って魚の当たりを見逃してしまったり、鈴が応答する動作の感度が悪い場合には、微妙な当たりを即座に報知できない等の欠点がある。また、豆ランプを点灯するケースでは、日中のように周囲が明るいとランプの点灯光が見にくい場合があるという不都合があった。
【０００４】
一方、これに対して、釣糸を介して伝達されて来る当たり（針先の餌に魚が触れる感触）を警報（発信）音や音声あるいはランプ等による光に変換して認識する手段による機能および釣竿に着脱可能な構造を有する魚釣り用当たり感知機が提案されている（例えば、特許文献１参照）。
【０００５】
この魚釣り用当たり感知機によれば、当たり感知機を釣竿の手元に装着し、釣竿の先端とリール（釣糸を巻き取る装置）との間の釣糸を本体（当たり検知部）のつまみ部に挟み込むことで、魚が釣糸の針先の餌に触れた感触を釣糸を介してつまみ部に伝達し、つまみ部を振動させることができる。そして、このつまみ部の振動が電気回路機構部のスイッチをＯＮ−ＯＦＦし、音や音声あるいは光等を発生させる装置を稼動させる。この結果、音や音声あるいは光等を認識することにより、魚の当たりを感知することができる。
【先行技術文献】
【特許文献】
【０００６】
【特許文献１】特開平６−１６９６７４号公報
【発明の概要】
【発明が解決しようとする課題】
【０００７】
しかしながら、かかる従来の魚釣り用当たり感知装置にあっては、魚の当たりを釣糸を介して釣竿の手元に設けられたつまみ部に伝達し、このつまみ部の動きでスイッチをオン／オフすることとなるため、つまみ部やスイッチの動作に対する摩擦抵抗や静止トルクによって当たりの高感度検出や高感度表示が阻害されたり、釣糸が釣竿に設けられたガイドリングに絡まり魚の当たりがつまみ部に伝達されないという不都合があった。
【０００８】
本発明は、魚釣り中に所定の張力でリールと餌をつけた釣針との間に張られた釣糸の動き、つまり魚の当たりを、その釣糸を支持する釣竿先端部分で高感度検出することができる釣竿用当たり報知装置を提供することを目的とする。
【課題を解決するための手段】
【０００９】
前述した目的を達成するために、本発明に係る釣竿用当たり報知装置は、釣竿への取付手段を備え、該取付手段で釣竿の先端付近に取付け、魚の当たりによる釣糸の動きを釣竿を介して検出し、魚の当たりを報知する報知装置であって、釣竿の先端部付近の外周面に取り付けられる歪センサと、この歪センサの出力に基づいて、その釣竿の変形対応の信号を求めて出力する変形信号出力手段と、を有し、この変形信号出力手段が前記歪センサの出力信号が設定レベルを超えたと判定したとき、または設定周期以下であると判定したとき、表示手段を点灯または点滅させることを特徴とする。
【００１０】
この構成により、魚の当たりによって釣糸が引かれると、その釣糸のテンションが直ちに変化して釣竿の先端部に作用し、その先端部付近を湾曲または振れさせる。この湾曲または振れは、その釣竿先端部の外周面に貼り付けられた歪センサを撓ませることとなる。従って、この歪センサからはその歪に応じた電圧が出力される。また、変形信号出力手段はその出力に基づいてその釣竿の変形量や変形周期（振動周波数）に応じた信号を出力し、その変形量や変形周期が設定値を超えたか否かを判定する。この判定結果を受けて、表示手段の例えば発光ダイオードは赤や青の色で点灯または点滅し、魚の当たりがあったことを釣り人に報知することができる。
【００１１】
また、本発明に係る釣竿用当たり報知装置は、前記歪センサが前記釣竿外周の4箇所に設けられ、前記変形信号出力手段が、前記４箇所の歪センサが出力する信号の誤差分に応じた信号を、前記釣竿の変形対応の信号として出力するものであることを特徴とする。
これにより、例えば釣竿が波や風の影響を受けて湾曲したかまたは振れたか否かなどを含めて、変形信号出力手段に当たり検出を高精度に実行させることができる。
【００１２】
さらに、本発明に係る釣竿用当たり報知装置は、釣竿への取付手段を備え、該取付手段で釣竿の先端付近に取付け、魚の当たりによる釣糸の動きを釣竿を介して検出し、魚の当たりを報知する報知装置であって、
魚の当たりで釣糸の上下動による釣竿先端部の動きで転動する転動体と、該転動する転動体の接触で開閉するスイッチと、該スイッチのＯＮに基づいて検知信号を出力する制御部と、該制御部からの検知信号により点灯または点滅する表示手段と、を備えることを特徴とする。
【００１３】
この構成により、魚の当たりによって釣糸が上下に動くと、その釣糸の動きは釣竿の先端部に作用し、その先端部付近を上下に揺れさせる。この釣竿先端部の上下の動きにより転動体が転動し、スイッチに接触しＯＮさせる。従って、このスイッチのＯＮにより制御部は、検知信号を出力する。この検知信号により表示手段は、点灯または点滅する。この時の検知信号は、魚の当たりによるものであるので、表示手段の点灯または点滅は、魚の当たりを報知するものとなる。
【発明の効果】
【００１４】
本発明によれば、魚釣り中に所定の張力でリールと餌をつけた釣針との間に張られた釣糸の動き、つまり魚の当たりを、その釣糸を支持する釣竿先端部分に貼り付けられた歪センサで高感度検出することができる。
また、魚の当たりで釣糸の上下動による釣竿先端部の動きで、転動体が転動し、スイッチをＯＮさせ、表示手段を点灯または点滅させることで、魚の当たりを釣り人に報知することができる。
【図面の簡単な説明】
【００１５】
【図１】本発明の実施形態による釣竿用当たり報知装置の要部を示す断面図である。
【図２】図１に示す釣竿用当たり報知装置を持った釣竿の正面図である。
【図３】図１に示す釣竿用当たり報知装置の電気系統の回路図である。
【図４】本発明の他の実施形態による釣竿用当たり報知装置の一部切欠斜視図である。
【図５】図４に示す釣竿用当たり報知装置の断面図である。
【図６】図５のＡ−Ａ線断面図である。
【図７】図４乃至図６に示す実施形態の釣竿用当たり報知装置の電気系統の回路図である。
【図８】図４乃至図６に示す実施形態の変形例の断面図である。
【図９】図８のＡ−Ａ線断面図である。
【発明を実施するための形態】
【００１６】
以下に、本発明の実施形態を図面を参照しながら説明する。図１は、釣竿用当たり報知装置の要部を示す断面図、図２は、釣竿用当たり報知装置を持った釣竿の正面図、図３は、釣竿用当たり報知装置の電気系統の回路図である。
【００１７】
本実施形態による釣竿用当たり報知装置Ａは、歪センサ１、２、３、４と、変形信号出力手段５と、バッテリ６と、表示手段７、８とを備えている。これらのうち歪センサ１〜４は歪方向の力を受けて変形するシート状の起歪体上に、歪を検出するフィラメント状の歪ゲージを貼り付けがものからなる。
【００１８】
これらの歪センサ１〜４は釣竿９の外周のうち、できるだけ先端に近い部分の外周の円周方向に、所定間隔をおいて、図１に示すように貼り付けられている。
なお、本実施形態では、４個の歪センサ１〜４を用いる場合を示したが、実質的には、１個を使用することによっても本発明による釣竿の歪検出を行うことは可能である。また、本例では、歪センサー１〜４を、釣竿９の外周の円周方向に所定間隔をおいて設けたが、これは釣竿９の外周の長手方向に沿う所定間隔をおいて設けることも可能であるし、両者を併用することも可能である。また、歪センサーの数は適宜選択可能である。歪センサーを、釣竿９の外周の、円周方向に沿って、および長手方向に沿って、所定間隔をおいて設けることを併用することで、魚の当たりの報知の精度を向上させることができる。
【００１９】
前記変形信号出力手段５は、歪センサ１〜４の出力電圧に基づいて、釣竿９の変形量または変形周期を演算して出力する回路素子を含み、回路基板上に設けられる。従って、変形信号出力手段５は、釣竿９周辺の何れかの方向への、湾曲量（変形量）または変形周期を検出し、その検出データが魚の当たりに関するものか、あるいは単なる波や風の影響に関するものかを識別する。表示手段７、８は変形信号出力手段５からの識別情報に基づき、赤や青の発光色で点灯または点滅される。従って、例えば、釣竿９の所定方向の変形量が設定レベルを超え、あるいは変形周期が設定周期以下（魚の当たりによる釣竿９の振れは、一般に周期が長い）である場合に、表示手段７、８が点灯または点滅される。なお、前記変形信号出力手段５は、ＣＰＵ構成とすることができる。
なお、表示手段７、８の点灯または点滅は、所定時間（例えば、１０秒間）でＯＦＦするようにする。これは前記変形信号出力手段５に、制御手段を組み込むことで達成できるし、ＣＰＵ構成とすることで達成できる。
【００２０】
この表示手段７、８には省電力型の発光ダイオードが用いられ、例えば赤や青の光で点灯または点滅される。なお、表示手段７、８に音声発生手段を並置して、魚の当たりを音声メッセージや音楽で報知することもできる。
【００２１】
前記構成の釣竿用当たり報知装置Ａは、図２に示すように、釣竿９の先端部に取り付けられる。この釣竿９の先端部には合成樹脂や硬質ゴムなどからなる略リング状のブラケット１０が着脱可能に取り付けられている。このブラケット１０の取り付けは、例えばブラケット１０両端の各取り付け片１０ａをネジ１１によって締め付けることによりなされる。
なお、このブラケット１０の両端の各取り付け片１０ａの締め付けは、ネジ１１に限定されるものではなく、他の公知の手段も採用可能である。例えば、バックルなどを例示できる。
【００２２】
また、ブラケット１０には、これを釣竿９に取り付けた際に、この釣竿９に貼り付けられた歪センサ１〜４に対し、バッテリ６および変形信号出力手段５を電気的に接続する接続端子や配線（いずれも図示を省略）が設けられている。更にこのブラケット１０には、前記バッテリ６を交換可能に収納する水密性のバッテリ収納室１２が突設され、このバッテリ収納室１２内には、前記変形信号出力手段５も密閉状態で収納されている。
【００２３】
このバッテリ収納室１２の外側面には発光イダイオードなどの前記表示手段７、８の一部が露出するように取り付けられている。なお、図２において、符号１３は釣糸であり、この釣糸１３の基端部は釣竿の手元に取り付けられたリール１４に固定され、他端には釣針や錘りなどが取り付けられる。
【００２４】
図３は、前記釣竿用当たり報知装置Ａの電気回路図であり、図１に示したものと同一の構成部分には同一符号を付して、その重複する説明を省略する。図3において、同一の抵抗値を持つ４枚の歪センサ１〜４が周知のホイートストンブリッジ回路接続されており、一対の接続端子間にはバッテリ６が接続され、他の一対の接続端子間には変形信号出力手段５が接続されている。
【００２５】
これによれば、歪センサ１〜４の何れかまたは全部が前記釣竿９の先端部の変形によって歪力を受けると、各歪センサ１〜４の電気抵抗つまり端子電圧が変化することによって、ブリッジの出力電圧が変化する。この出力電圧のレベルや周期の変化から、変形信号出力手段５は釣竿９の先端部の動作（変形）状況を判定し、その変形レベルや変形方向、あるいは変形周期が設定値に達したとき、魚の当たりがあったことを正確にと判断する。
従って、表示手段７、８はその判断結果を受けて、赤や青等の色で点灯または点滅し、魚の当たりがあったことを釣り人に報知することとなる。
【００２６】
このように本実施形態は、釣竿９の先端部付近の外周面に取り付けられる歪センサ１〜４と、歪センサ１〜４の出力に基づいて、その釣竿９の変形対応の信号を求めて出力する変形信号出力手段５と、を有し、この変形信号出力手段５が歪センサ１〜４の出力信号が設定レベルを超えたと判定したとき、または設定周期以下であると判定したとき、表示手段７、８に点灯または点滅を行わせるような構成としている。
【００２７】
従って、魚の当たりによって引かれる釣糸１３の張力により、釣竿９の先端部付近が他に比べて大きく湾曲または振れ、この湾曲または振れは歪センサ１〜４を撓ませることとなる。このため、この歪センサ１〜４からはその歪に応じた電圧が出力され、変形信号出力手段５はその出力に基づいて釣竿９の変形量や変形周期（振動周波数）に応じた信号を出力するとともに、その変形量や変形周期が設定値を超えたか否かを判定する。この判定結果を受けて、表示手段７、８の例えば発光ダイオードが赤や青の色で点灯または点滅し、魚の当たりの有無を釣り人に報知することができる。
【００２８】
また、変形信号出力手段５が、４箇所の歪センサ１〜４が出力する信号の誤差分に応じた信号に基づく演算処理によって、例えば釣竿９が波や風の影響を受けて湾曲したかまたは振れたか否かなどに関係なく、魚の当たり検出のみを高精度に実行することができることとなる。
【００２９】
図４は本発明の他の実施形態による釣竿用当たり報知装置の一部切欠斜視図、図５は、図４に示す釣竿用当たり報知装置の断面図、図６は図５のＡ−Ａ線断面図、図７は図４乃至図６に示す実施形態の釣竿用当たり報知装置の電気系統の回路図である。
【００３０】
この図４乃至図６に示す釣竿用当たり報知装置Ｂは、釣竿先端付近に取り付ける取付手段１５と、魚の当たりで釣糸の上下動による釣竿先端部の動きで転動する転動体１６と、この転動する転動体１６の接触で開閉するスイッチ１７と、該スイッチ１７のＯＮに基づいて検知信号を出力する制御部１８と、該制御部１８からの検知信号により点灯または点滅する表示手段１９、２０と、を備えており、これらはケース２１に収納されている。
【００３１】
ケース２１は、耐水性、耐塩性、耐候性に富む軽量な材質のものが好ましく、例えば、樹脂製のものを例示できる。このケース２１は、透明でも不透明でもよいが、不透明の場合は、表示手段１９、２０に相当する部分は、透明または半透明の部材で構成し、表示手段１９、２０の点灯または点滅が外部から見えるようにする。
なお、表示手段１９、２０の部分は、ケース２１の外部に露出して設けてもよい。この場合は、ケース２１の透明、不透明は影響されない。表示手段１９、２０としては、発光ダイオードが省電力型であるので好ましく、例えば、赤や青の光で点灯または点滅される。また、この表示手段１９，２０に、音声発生手段を併置して、魚の当たりを光と共に音声メッセージや音楽で報知することも可能である。
【００３２】
ケース２１は、本例では円筒状の場合を示しており、中間が転動体１６を収納する中間室２３になっており、転動体１６は、中間室２３の底板２４上に載置され、底板２４上を転動するようになっている。この中間室２３のケース２１の前後（釣竿の長手方向の前後）の内面にスイッチ１７、１７が設けられ、魚の当たりで釣糸の上下動による釣竿先端部の動きで転動体１６が転動して接触し、開閉するようになっている。
【００３３】
中間室２３の底板２４は、中心に向かってテーパ状に傾斜し、その中心に凹部２５が設けられると共にこの凹部２５から前記スイッチ１７、１７に向かってガイド溝２６が設けられている。これにより転動体１６は、常に中心の凹部２５に戻ると共に、魚の当たりによる釣竿先端部の動きで転動体１６は、ガイド溝２６に沿ってガイドされて転動し、確実にスイッチ１７に接触することとなるので好ましい。
この底板２４の中心に向かうテーパ状の傾斜および凹部２５は、傾斜がありすぎたり、凹部２５が深すぎると、魚の当たりで転動体１６が転動しなくなるおそれがあるので、傾斜の角度や凹部２５の深さは、魚の当たりによる釣竿の動きで転動できる範囲に設定する。
なお、釣糸にエサを付けて水中や海中にセットする際の釣竿の動作時には、転動体１６を中間室２３の底板２４の中心に保持する保持手段を備え、セットした後に保持手段の保持を解除するようにしてもよい。この保持手段としては、例えば、電磁石等を例示でき、セットした後に電磁石の電源回路をＯＦＦにする手段を示すことができる。
【００３４】
ケース２１の中間室２３の下が下室２７になり、この下室２７に、制御部１８およびバッテリ２２が収納されている。
また、下室２７の下が釣竿９への取付手段１５となっている。本例の取付手段１５は、一端がヒンジ３０で開閉可能に連結された開閉片２９ａ、２９ｂで構成され、この開閉片２９ａ、２９ｂで形成する挿通孔３１に釣竿９を挟持して、各開閉片２９ａ、２９ｂに設けられた固定片３２ａ、３２ｂをネジ３３等で締め付け釣竿９に取り付ける手段を示している。
なお、本例では、各開閉片２９ａ、２９ｂの固定片３２ａ、３２ｂをネジ３３で締め付ける手段を示したが、これに制限されるものではなく、例えば、ネジ３３に代えて例えばバックル等の他の公知の手段を採用することは自由である。
さらに、ケース２１の最上部（中間室２３の上）は、上室２８になり、前記表示手段１９、２０は、この上室２８に設けられている。
【００３５】
図７は、上記図４乃至図６に示す釣竿用当たり報知装置Ｂの電気回路図であり、図４乃至図６に示したものと同一の構成部分には、同一符号を付して重複する説明を省略する。図７において、一対の接続端子間にはバッテリ２２が接続され、他の一対の接続端子間には制御部１８が接続され、このバッテリ２２と制御部１８との間の回路にはスイッチ１７が介在され、また、制御部１８を介し表示手段１９、２０が連結されている。
これによれば、魚の当たりで釣糸１３の上下動により釣竿９の先端部が動き、この釣竿９の先端部の動きで釣竿用当たり報知装置Ｂも動き転動体１６を転動させる。この転動体１６の転動で、転動体１６がスイッチ１７に接触しＯＮさせる。すると、このスイッチ１７のＯＮに基づいて制御部１８が検知信号を出力し、この制御部１８からの検知信号により表示手段１９、２０が点灯または点滅する。従って、この表示手段１９、２０の点灯または点滅で、魚の当たりを確認することができる。
なお、表示手段１９、２０の点灯または点滅は、制御部１８によって所定時間（例えば、１０秒間）でＯＦＦされる。
【００３６】
図８は、前記図４乃至図７に示す実施形態の変形例を示す断面図、図９は図８のＡ−Ａ線断面図である。
本例は、転動体１６Ａを断面円形の軸状としたものであって、後は前記図４乃至図７に示す実施形態と同様であるので、同じ構成要素には同一符号を付して、詳細な説明は省略する。この変形例によれば、ケース２１を直方体とし、転動体１６Ａの長さをケース２１の中間室２７内の左右方向への幅（長さ）より少し短い長さとすることで、転動体１６Ａを前後方向（釣竿９の長尺方向）だけに転動できるようにすることが容易に可能となる。従って、転動体１６Ａは、魚の当たりで釣糸１３の上下動による釣竿９の先端部の動きに追従して前後方向に転動することになり、釣竿９の左右方向の動きでは転動しないので、魚の当たりの表示の精度が向上するので好ましい。
【００３７】
なお、前記実施の形態は、本発明を制限するものではなく、本発明は、要旨を逸脱しない範囲において種々の変形が許容される。
【符号の説明】
【００３８】
Ａ、Ｂ  釣竿用当たり報知装置
１〜４  歪センサ
５  変形信号出力手段
６  バッテリ
７、８  表示手段（発光ダイオード）
９  釣竿
１０  ブラケット
１３  釣糸
１５  取付手段
１６、１６Ａ  転動体
１７  スイッチ
１８  制御部
１９、２０  表示手段（発光ダイオード）
２１  ケース
２２  バッテリ
２３  中間室
２４  底板
２５  凹部
２６  ガイド溝
２７  下室
２８  上室
【図１】
2010246394.tif 000003
【図２】
2010246394.tif 000004
【図３】
2010246394.tif 000005
【図４】
2010246394.tif 000006
【図５】
2010246394.tif 000007
【図６】
2010246394.tif 000008
【図７】
2010246394.tif 000009
【図８】
2010246394.tif 000010
【図９】
2010246394.tif 000011